(57)【要約】      （修正有）【課題】メガネを購入する場合にフロント部を構成する両リムと連結部材を自由に組合せることが出来、又フロント部の両側に位置するヨロイを自由に組み合わせることが出来、しかも、連結部材やリム、並びにヨロイを何時でも自由にワンタッチで交換することが可能な組立て式メガネフレームを提供する。【解決手段】ヨロイ３の背面側には凹部と成る嵌合ボックス９を固定し、該嵌合ボックス９には板バネ１１を設けると共に板バネ先端には係止片を形成し、この嵌合ボックス９に凸部と成るリムロック６を嵌め、係止片をリムロック６に係止している。【選択図】図１
2010224130.tif 000002
【特許請求の範囲】
【請求項１】
ヨロイをフロント部の外側に着脱可能に取付けたメガネフレームにおいて、上記フロント部の外側とヨロイには互いに嵌合する凹部と凸部を設け、そして、嵌合した状態では独りでに離脱しないように係止手段を備えたことを特徴とする組立て式メガネフレーム。
【請求項２】
両リム又は両レンズの間に介在する連結部材を介して分離可能に連結したフロント部を有すメガネフレームにおいて、上記リム又はレンズの内側と連結部材の先端部には互いに嵌合する凹部と凸部を設け、そして、嵌合した状態では独りでに離脱しないように係止手段を備えたことを特徴とする組立て式メガネフレーム。
【請求項３】
上記係止手段として板バネを用いた請求項１、又は請求項２記載の組立て式メガネフレーム。
【請求項４】
上記係止手段としてバネ力を付勢したピンを用いた請求項１、又は請求項２記載の組立て式メガネフレーム。
【請求項５】
上記係止手段として磁石を用いた請求項１、又は請求項２記載の組立て式メガネフレーム。
【請求項６】
上記係止手段として弾力性のある部材を用いた請求項１、又は請求項２記載の組立て式メガネフレーム。
【発明の詳細な説明】
【技術分野】
【０００１】
本発明は組立て式のメガネフレームであり、ヨロイ並びに中央連結部材の交換が簡単に出来るメガネフレームに関するものである。
【背景技術】
【０００２】
図１４は従来の一般的な金属製メガネフレームを示している。同図から明らかなように該メガネフレームはフロント部（イ）の両側にツル（ロ）、（ロ）を折畳み可能に取付けたものであって、フロント部（イ）は両リム（ハ）、（ハ）を連結部材（ニ）によって連結され、リム（ハ）、（ハ）の外側にはヨロイ（ホ）、（ホ）がロウ付けされている。上記ツル（ロ）はこのヨロイ（ホ）に蝶番（ヘ）を介して折畳み出来るように取付けされている。又同図の（ト）は鼻当てパットを示し、メガネを掛けた場合に鼻に当ってフロント部（イ）が支えられる。
【０００３】
ところで、上記フロント部（イ）のリム（ハ）にはレンズが嵌められることになるが、リム外側にはリムロックが設けられている。しかも、該リムロックはヨロイ（ホ）の内側（背面側）に位置して正面からは見えないように設けられ、ネジを緩めるならばリム（ハ）の周長が拡大してレンズを嵌めたり外したりすることが出来る。すなわち、リムロック部でリング状のリム（ハ）は開口することが出来、ネジを締めてロックすることでリム（ハ）に嵌めたレンズは外れないようになる。
【０００４】
このリムロックはリム外側にロウ付けされた後でテーパ状に切断される。これはネジ締めした際に両ロック片が正しく噛合う為であり、その為にリム（ハ）の切口は段差なく接合する。そしてこのリムロックをカバーする為に概略L型をしたヨロイ（ホ）がロウ付けされ、このヨロイ（ホ）にツル（ロ）が取付けられている。
【０００５】
ところで、このヨロイ（ホ）はフロント部（イ）の外側に固定されて、該ヨロイ（ホ）はメガネフレームのフロント部（イ）の外観を大きく左右する。すなわち、レンズが嵌るリムの形状と共に両ヨロイの形態はメガネを購入する際の大きな要素となる。ところで、従来のようにフロント部の外側にロウ付けされてしまうヨロイでは該フロント部と一体化されてしまい、好みのヨロイを選択して組み合わせるといったことは出来ない。まして、メガネを購入した後で、ヨロイを交換することは不可能である。
【０００６】
一方、該ヨロイ（ホ）の場合と同じように、フロント部（イ）の中央に位置する連結部材（ニ）も両リム（ハ）、（ハ）とロウ付けされており、これら両リム（ハ）、（ハ）、及び連結部材（ニ）をそれぞれ分離することは出来ない。従って、メガネを購入するに際して、好みのリム形状及び連結部材（ニ）を選択してフロント部（イ）を組立てることは不可能である。
【０００７】
特開２００１−３１８３４３号に係る「メガネフレーム及びヨロイ」は、レンズをリムに着脱する為に噛み合いテーパを形成したリムロックを持たず、又ヨロイをロウ付けしないで取付けることが出来るメガネフレームである。
メガネのフロント部両側にツルを連結するヨロイを取付け、このヨロイの前片には嵌合穴と嵌合溝が仕切りを介して形成され、リム外側に設けたリムロックのロック片を嵌合穴に圧入し、一方の嵌合溝には別のロック片を嵌めてネジ止めしている。
【０００８】
特開２００４−９３７０４号に係る「眼鏡の連結構造およびそれを備えた眼鏡」は、工具なしでも眼鏡部品同士を簡単に着脱することができて部品交換も迅速かつ的確に行うことができ、しかも、連結された眼鏡部品同士は安定な結合状態を保ち得る眼鏡部品の連結構造及びかかる連結構造を備えた眼鏡である。
そこで、リムに固設された第一の部材と、ヨロイまたはブリッジに連設された第二の部材とを備え、第一の部材は、その一面に設けられた挿通孔と該一面にほぼ直交する面に形成された係止溝とを有し、第二の部材は、第一の部材の挿通孔に導入される第一の脚部と係止溝に弾性的に係合する第二の脚部とを含む略Ｕ字状の屈曲部、および第二の脚部に設けられ第一の部材に係止される係止部を有している。
【０００９】
しかし、これらのメガネフレームの場合も、ヨロイをロウ付けした構造ではないが、一般の人がヨロイを交換してメガネを使用することは無理である。特に、出勤時の忙しい時に、着用した被服に合わせてヨロイやツルを交換することは不可能であり、同じく連結部材を交換することも不可能である。
【特許文献１】特開２００１−３１８３４３号に係る「メガネフレーム及びヨロイ」
【特許文献２】特開２００４−９３７０４号に係る「眼鏡の連結構造およびそれを備えた眼鏡」
【発明の開示】
【発明が解決しようとする課題】
【００１０】
このように、従来のメガネフレームには上記のごとき問題がある。本発明が解決しようとする課題はこの問題点であり、メガネを購入する場合にフロント部を構成する両リムと連結部材を自由に組合せることが出来、又フロント部の両側に位置するヨロイを自由に組み合わせることが出来、しかも、連結部材やリム、並びにヨロイを何時でも自由にワンタッチで交換することが可能な組立て式メガネフレームを提供する。
【課題を解決するための手段】
【００１１】
本発明に係る組立て式メガネフレームは、両リムと連結部材（リムを持たない縁無しメガネの場合には、両レンズと連結部材）が分離可能な構造としているフロント部、及び該フロント部に着脱可能なヨロイを備え、ヨロイには蝶番などの継手を介して折畳み出来るツルを取付けている。そこで、フロント部両側とヨロイには、互いに嵌合して連結する為の凹部と凸部を有し、嵌合状態を維持する為の係止手段を備えている。ここで、該係止手段としては特に限定せず、一般的にはバネ、磁石などが適している。
【００１２】
同じく、リムと連結部材の場合も同じように、互いに嵌合して連結する為の凹部と凸部を有し、嵌合状態を維持する為の係止手段を備えている。そして、該係止手段としては特に限定せず、一般的にはバネ、磁石などが適している。ところで、リムを持たない縁なしメガネの場合には、レンズに凸部又は凹部をネジ止めし、リムを有すメガネでは該凸部又は凹部はリムにロウ付けされる。
【発明の効果】
【００１３】
本発明の組立て式メガネフレームは、フロント部が互いに分離される連結部材と両リムにて構成され、又ヨロイをワンタッチで取付け・取外しが出来る構造と成っている。従って、両リムと連結部材（リムを持たない縁なしメガネの場合には、両レンズと連結部材）を自由に組み合わせてフロント部を組み立てることが出来る。同じく、ヨロイも組立てたフロント部のデザインにフィットするように組み合わせできる。
【００１４】
そこで、本発明ではメガネを購入するに際して、フロント部並びにヨロイの組合せを選択することが出来る。そして、１枚のフロント部に対して複数のツル付きヨロイを購入するならば、自分自身で時々ヨロイを簡単に交換してメガネを掛けることが出来、着用する被服や髪形に合わせることが出来る。同じように、フロント部の場合も、両リムと連結部材の組み合わせで異なる外観のフロント部を作ることが出来る。
【００１５】
そして、本発明の組立て式メガネフレームは、フロント部を構成する両リム、連結部材、並びにヨロイは互いに嵌合する凸部と凹部の嵌合構造であり、簡単に分離することが出来ると共に組立てることも出来る。従って、出勤時の忙しい時であってもフロント部の組立て、及びヨロイの交換がワンタッチで可能である、従来のネジ止め構造では出掛ける時の気分に合わせて交換することは不可能である。仮に時間があっても、ネジを弛めてヨロイを交換するといった作業は一般の人には出来ない。
【図面の簡単な説明】
【００１６】
【図１】本発明に係るメガネフレームを示す実施例。
【図２】ヨロイ背面に取着される嵌合ボックス。
【図３】嵌合ボックスにリムロックが嵌入する行程。
【図４】嵌合ボックスにリムロックが嵌合した状態。
【図５】本発明に係るメガネフレームを示す他の実施例。
【図６】ヨロイ背面に取着される嵌合ボックス。
【図７】リムの外側にロウ付けされるリムロック。
【図８】嵌合ボックスにリムロックが嵌入する行程及び嵌合状態。
【図９】凹部と凸部が嵌合し、ピンを用いた係止手段。
【図１０】凹部と凸部が嵌合し、磁石を用いた係止手段。
【図１１】凹部と凸部が嵌合し、ゴムリングを用いた係止手段。
【図１２】連結部材を介して両リムを分離可能としたフロント部。
【図１３】リムを持たない縁なしメガネの実施例。
【図１４】従来の一般的なメガネフレーム。
【発明を実施するための形態】
【００１７】
図１は本発明に係るメガネフレームを示す実施例であり、（ａ）は平面図、（ｂ）はフロント部の背面図を表し、そして左側のヨロイはフロント部から取外されている。同図の１はフロント部、２はツル、３はヨロイを示し、フロント部１はレンズが嵌るリム４，４を連結部材５にて連結した構造で、リム４の外側にはリムロック６を設けている。リムロック６は上ロック片７と下ロック片８とで構成し、リム４にレンズを嵌める際に、又はレンズを外す際に該リムロック６を弛めて行われる。
【００１８】
そこで、レンズが嵌ったところで、上ロック片７と下ロック片８はネジ締めされてレンズがリム４から外れないようにしている。ところで、本発明のメガネフレームは上記フロント部１の両リムロック６，６にヨロイ３，３が取付けられる。すなわち、従来のようにロウ付けではなく、ヨロイ３の背面側（内側）に設けている嵌合ボックス９がリムロック６に嵌って取着される。
【００１９】
すなわち、ネジ止めすることもなく、接着されることもなく、嵌合ボックス９の内部空間にリムロック６が嵌ることで取付けられる。しかし、引き抜くことで取外すことも簡単に出来、着脱可能な取付け構造としている。そして、該ヨロイ３には蝶番１０を介してツル２が連結し、その為に、ツル２は一般的なメガネと同じく折り畳むことが出来る。ここで、同図のメガネフレームではリムロック６が凸部となり、嵌合ボックス９は凹部として構成し、凹部と凸部が互いに嵌合してメガネフレームが組立てられる。
【００２０】
ヨロイ３とツル２は蝶番１０を介して互いに連結した構造とし、ツル２はヨロイ３と共にフロント部１のリムロック６である凸部に着脱可能となる。ところで、凹部と成る嵌合ボックス９の内部空間には上記リムロック６が嵌入することが出来るが、ヨロイ３がガタ付かないように厳しい公差をもって製作されている。そして、嵌合ボックス９の１部には係止手段となる板バネ１１を形成していて、板バネ１１のバネ力をリムロック６に付勢し、嵌合ボックス９のガタ付きを無くしている。
【００２１】
図２はヨロイ３の背面側に固定される嵌合ボックス９を示している。該嵌合ボックスは５面を有し、同図の左面は開口している。そして、正面板１３の上下縁には開口１２からスリット１４，１４が設けられて、板バネ１１を形成し、該板バネ１１の開口側先端は屈曲して係止片となっている。同図において正面板１３はフロント部１の背面側となり、嵌合ボックス９の背面板はヨロイ３にロウ付けされる。勿論、嵌合ボックス９とヨロイ３を切削などによって一体的に形成することは自由である。
【００２２】
図３は上記嵌合ボックス９の内部空間にリムロック６が嵌入する行程を示している。リムロック６は上ロック片７と下ロック片８で構成されてネジ止めされ、この状態で嵌合ボックス９に嵌って収容される。リムロック６が嵌入する場合、板バネ１１の先端に形成している係止片１５の為に、該板バネ１１は外方向へ撓んで変形し、嵌合状態は図４に示す状態と成る。
【００２３】
係止片１５はリムロック６の先端１６に係止することが出来、嵌合ボックス９がリムロック６から外れることはない。従って、嵌合ボックス９と固定されているヨロイ３は独りでにフロント部１から離脱することはない。ここで、係止片１５はリムロック６の先端１６に当接し、バネ力が付勢している状態としており、嵌合ボックス９がガタ付くことを防止している。勿論、リムロック６と嵌合ボックス９との公差は厳しく成っていて、基本的にはガタ付かないようにしている。その為に、先端１６の当接面は図４のように僅かに傾斜しており、係止片１５によってリムロック６を嵌合ボックス９の空間へ押込むバネ力が付勢される。
【００２４】
図５は本発明に係るメガネフレームを示す他の実施例である。基本的な形態は前記図１のメガネフレームと同じであるが、凸部と成るリムロック１７の形状及び凹部と成る嵌合ボックス１８の形状を異にしている。ただし、リムロック１７に嵌合ボックス１８を嵌めることでヨロイ３がフロント部１の外側に取付けられ、又リムロック１７から嵌合ボックス１８を離脱することでヨロイ３はフロント部１から取外される。
【００２５】
図６は上記凹部と成る嵌合ボックス１８を示している。この嵌合ボックス１８も１面を開口し、フロント部１の背面側と成る正面１９には板バネ２０が設けられ、該板バネ２０は嵌合ボックス１８の側面２１にロウ付けにて固定されている。そして、嵌合ボックス１８の正面１９には切欠き溝２２が形成され、上記板バネ２０の先端を屈曲して形成した係止片２３が嵌っている。
【００２６】
図７は上記凸部と成るリムロック１７を示しているが、該リムロック１７は上ロック片７と下ロック片８から成り、リム４の外側にロウ付けされて嵌ったレンズが外れないようにリム４を締め付ける役目を果たすことが出来、本発明ではこのリムロック１７に嵌合ボックス１８が嵌合して取付けられる。該リムロック１７の正面２４には切欠き溝２５が設けられ、上記図６に示す嵌合ボックス１８の開口２６からリムロック１７が嵌入し、そして、板バネ先端の係止片２３は切欠き溝２５に係止することが出来る。
【００２７】
図８は嵌合ボックス１８にリムロック１７が嵌入する行程を示している。この場合、板バネ２０は外方向へ撓み変形し、所定の位置まで嵌入したところで該係止片２３はリムロック１７に設けた切欠き溝２５に嵌って係止する。該切欠き溝２５に形成した傾斜面２７に係止片２３が係止し、この状態で板バネ２０のバネ力が付勢した状態にすることで、該嵌合ボックス１はガタ付くことなく安定する。そして該嵌合ボックス１８と連結しているヨロイ３も安定する。
【００２８】
ところで、本発明はヨロイの背面に嵌合ボックスを取付け、又はヨロイの背面に嵌合ボックスを切削などにて一体的に形成し、この嵌合ボックスをリムロックに嵌めて固定するものであるが、該嵌合ボックスの具体的な形態及びリムロックの具体的な形態は特に限定しないことにする。そして、板バネの形態も限定しない。そして、実施例では凹部となる嵌合ボックス９をヨロイ側に設け、凸部をフロント部側に設けているが、逆に凹部をフロント部側に設け、凸部をヨロイ側に設けることもある。
【００２９】
そして、フロント部の外側に設けたリムロック６を嵌合ボックス９に嵌る凸部としているが、必ずしもリムロック６に限定するものではなく、凸部をリムロック６とは別に設けることもある。一方、リム４を持たない縁なしメガネの場合、レンズ外側に凸部をネジ止めすることが出来る。又は凹部をレンズ外側にネジ止めすることも可能である。レンズの下側を水糸などの高張力糸で保持するように構成しているハーフリムを備えたメガネフレームの場合であれば、フルリムの場合のようにハーフリムの外側に凸部又は凹部をロウ付けなどにて取着することが出来る。
【００３０】
図９は係止手段としてバネ力を付勢したピン２９を用いた場合の具体例である。そこで、凸部２８にはピン２９が取付けられると共に、ピン２９にはバネ力が付勢されて先端は正面から僅かに突出している。一方の嵌合ボックスで構成している凹部３０には穴が設けられ、上記凸部２８が同図に示すように凹部３０に嵌合するならば、正面から突出しているピン２９の先端が凹部３０に形成している穴に嵌って係止する。従って、凸部２８は凹部３０から外れないようになる。
【００３１】
図１０は係止手段として磁石３１ａ，３１ｂを用いている場合の具体例である。凸部２８の先端には磁石３１ａを固定し、同じく凹部３０の底にも磁石３１ｂを固定している。そこで、凸部２８を凹部３０の内部空間に嵌入するならば、磁石３１ａ，３１ｂが互いに引き合って凸部２８は凹部３０から外れないようになる。
【００３２】
図１１は凸部２８の外周に溝を形成し、この溝にゴムリング３２を嵌めている。ただし、溝に嵌ったゴムリング３２は凸部２８の表面からその一部は突出している。一方、凹部３０にはその内面に凹溝が設けられていて、凸部２８が凹部３０に嵌入するならば、表面から突出しているゴムリング３２は凹溝に嵌って凸部２８はロックされる。従って、凸部２８は凹部３０から外れないようになる。ここで、上記ゴムリング３２はその形状がリング体に限ることなく弾力性のある部材であればよく、又、凹部３０の内面に凹溝を設けることなく弾力性のある部材の摩擦で外れないように係止することも可能である。
【００３３】
ところで、以上説明した実施例はフロント部１にヨロイ３を着脱可能に構成している場合であり、フロント部１とヨロイ３には互いに嵌合し合う凹部３０と凸部２８を設け、そして嵌合した凹凸部３０，２８が分離しないように係止手段を備えて構成している。本発明の組立て式メガネフレームでは、上記フロント部１を両リム４，４と連結部材５に分離可能な構造とすることが出来る。勿論、フロント部１は分解不可とし、前記実施例のように外側に設けた凸部２８にヨロイ背面の凹部３０を嵌めて取付けることは自由である。
【００３４】
そこで、両リム４，４と連結部材５の連結構造はヨロイ３の場合と同じように、リム４，４と連結部材５の先端に互いに嵌合する凹部３０と凸部２８を設けることが出来る。図１２に示す実施例は、連結部材３３を外して両リム４，４を分離した場合である。連結部材３３の両先端の背面側には凹部３０，３０が取着され、リム側には凸部２８，２８を設けている。そこで、この凸部２８，２８を凹部３０，３０に嵌入するならば、両リム４，４は連結部材３３を介して互いに連結されて、フロント部１が構成される。
【００３５】
ここで、凹部３０に嵌入した凸部２８が外れないように、板バネ、磁石、又はピンなどの係止手段によって係止される。上記凹部３０としては前記実施例で説明した嵌合ボックスを用いることが出来、凸部２８としてはリム４に別部材がロウ付けされる。
【００３６】
図１３はリム４，４を持たない縁なしメガネの場合の実施例を示している。このように、リム４，４を持たない為に、凸部２８をレンズ外側にネジ止めし、ヨロイ内側に取着した凹部３０に該凸部２８が嵌入することでヨロイ３が取付けられる。同図では、連結部材３３はレンズ３４，３４を直接ネジ止めにて連結している構造と成っているが、凹部３０と凸部２８との嵌合形態とすることは可能である。
【符号の説明】
【００３７】
１  フロント部
２  ツル
３  ヨロイ
４  リム
５  連結部材
６  リムロック
７  上ロック片
８  下ロック片
９  嵌合ボックス
10  蝶番
11  板バネ
12  開口
13  正面板
14  スリット
15  係止片
16  先端
17  リムロック
18  嵌合ボックス
19  正面
20  板バネ
21  側面
22  切欠き溝
23  係止片
24  正面
25  切欠き溝
26  開口
27  傾斜面
28  凸部
29  ピン
30  凹部
31  磁石
32  ゴムリング
33  連結部材
34  レンズ
【図１】
2010224130.tif 000003
【図２】
2010224130.tif 000004
【図３】
2010224130.tif 000005
【図４】
2010224130.tif 000006
【図５】
2010224130.tif 000007
【図６】
2010224130.tif 000008
【図７】
2010224130.tif 000009
【図８】
2010224130.tif 000010
【図９】
2010224130.tif 000011
【図１０】
2010224130.tif 000012
【図１１】
2010224130.tif 000013
【図１２】
2010224130.tif 000014
【図１３】
2010224130.tif 000015
【図１４】
2010224130.tif 000016